(57)【要約】【課題】ゆるみ止めの問題は完全に解決されたとは言えず新たな方法が求められている。【解決手段】本発明のねじは、座面の裏側にあるフランジの表面に座面まで達しない程度の深さの溝が六角頭の六つの側面の座面方向の延長に当該側面がねじの中心軸に対して平行であり六角頭が六角柱の形状であれば六角柱に、当該側面がねじの中心軸からフランジの周縁部の方へと傾いて六角頭が六角錐であれば六角錐に設けられた、座面全体が周縁部に向かうにつれて被締結物と接触する方向へと凹型に傾斜しているフランジ付き六角ボルトおよびフランジ付き六角ナットである事を特徴とする。【選択図】図３
2014159826.tif 000002
【特許請求の範囲】
【請求項１】
座面の裏側にあるフランジの表面に座面まで達しない程度の深さの溝が六角頭の六つの側面の座面方向の延長に当該側面がねじの中心軸に対して平行であり六角頭が六角柱の形状であれば六角柱に、当該側面がねじの中心軸からフランジの周縁部の方へと傾いて六角頭が六角錐であれば六角錐に設けられた、座面全体が周縁部に向かうにつれて被締結物と接触する方向へと凹型に傾斜しているフランジ付き六角ボルトおよびフランジ付き六角ナット。
【請求項２】
座面の裏側にあるフランジの表面に座面まで達しない程度の深さの溝をねじの中心部に対して平行になるよう円柱状にあるいは座面方向に拡径または縮径する円錐状に設けられた、座面全体が周縁部に向かうにつれて被締結物と接触する方向へと凹型に傾斜しているフランジ付きボルトおよびフランジ付きナット。
【請求項３】
座面の裏側にあるフランジの表面に座面まで達しない程度の深さの溝が六角頭の六つの側面の座面方向の延長に当該側面がねじの中心軸に対して平行であり六角頭が六角柱の形状であれば六角柱に、当該側面がねじの中心軸からフランジの周縁部の方へと傾いて六角頭が六角錐であれば六角錐に設けられた、周縁部のフランジの部分の座面のみが軸外方に向かうにつれて被締結物と接触する方向へと傾斜している凹型に傾斜しているフランジ付き六角ボルトおよびフランジ付き六角ナット。
【請求項４】
座面の裏側にあるフランジの表面に座面まで達しない程度の深さの溝をねじの中心部に対して平行になるよう円柱状にあるいは座面方向に拡径または縮径する円錐状に設けられた、周縁部のフランジの部分の座面のみが軸外方に向かうにつれて被締結物と接触する方向へと凹型に傾斜しているフランジ付きボルトおよびフランジ付きナット。
【発明の詳細な説明】
【技術分野】
【０００１】
フランジ付きボルトおよびフランジ付きナットに関する。
【背景技術】
【０００２】
座面陥没の可能性を減らす意味合いでフランジ付きのボルトがあり、ねじの緩みを防止するため当該ボルトの座面に更にセレーションなどの突起を加工し、座面での摩擦力を高めたものもある。（特許文献１参照）。
【０００３】
フランジ付きのナットではフランジ付きのボルトと同様に、その座面にセレーションが施されたものがある。
【先行技術文献】
【特許文献】
【０００４】
【特許文献１】特開２０１２−２２９７４９号公報
【発明の概要】
【発明が解決しようとする課題】
【０００５】
フランジ付きボルトはその座面と被締結物との接触面積がフランジの付いてないボルトと比べて広いが、座面の中心部にねじの被締結物への圧力が集中し、フランジの周縁部には十分に圧力が及ばず圧力が掛かっているいわゆる真実接触面積は大差がない。また周縁部で圧力が高くなるようにボルトの座面を円錐状にするとボルトの中心部では座面と被締結物の間に隙間が生じ座面圧が低くなる。
【０００６】
セレーションが座面に施されているフランジ付きボルトやフランジ付きナットは被締結物を傷つけるので、他の緩み止めの方法が求められる。
【課題を解決するための手段】
【０００７】
上記課題を解決するため本発明の請求項１は、座面の裏側にあるフランジの表面に座面まで達しない程度の深さの溝が六角頭の六つの側面の座面方向の延長に当該側面がねじの中心軸に対して平行であり六角頭が六角柱の形状であれば六角柱に、当該側面がねじの中心軸からフランジの周縁部の方へと傾いて六角頭が六角錐であれば六角錐に設けられており、座面全体が周縁部に向かうにつれて被締結物と接触する方向へと凹型に傾斜しているフランジ付き六角ボルト。およびフランジ付き六角ナットを使用することを特徴とする。
【０００８】
上記課題を解決するため本発明の請求項２は、座面の裏側にあるフランジの表面に座面まで達しない程度の深さの溝がねじの中心部に対して平行になるよう円柱状にあるいは座面方向に拡径または縮径する円錐状に設けられた、座面全体が周縁部に向かうにつれて被締結物と接触する方向へと凹型に傾斜しているフランジ付きボルトおよびフランジ付きナットを使用することを特徴とする。
【０００９】
上記課題を解決するため本発明の請求項３は、座面の裏側にあるフランジの表面に座面まで達しない程度の深さの溝が六角頭の六つの側面の座面方向の延長に当該側面がねじの中心軸に対して平行であり六角頭が六角柱の形状であれば六角柱に、当該側面がねじの中心軸からフランジの周縁部の方へと傾いて六角頭が六角錐であれば六角錐に設けられており、周縁部のフランジの部分の座面のみが軸外方に向かうに従って被締結物と接触する方向へと傾斜している凹型に傾斜しているフランジ付き六角ボルトおよびフランジ付き六角ナットを使用することを特徴とする。
【００１０】
上記課題を解決するため本発明の請求項４は、座面の裏側にあるフランジの表面に座面まで達しない程度の深さの溝をねじの中心部に対して平行になるよう円柱状にあるいは座面方向に拡径または縮径する円錐状に設けられた、周縁部のフランジの部分の座面のみが軸外方に向かうに従って被締結物と接触する方向へと凹型に傾斜しているフランジ付きボルトおよびフランジ付きナットを使用することを特徴とする。
【発明の効果】
【００１１】
本発明のボルト又はナットを用いれば、傾斜した座面がボルトあるいはナットによって座面に押し付けられることによって、フランジの溝の幅が狭まり、反発力が生じることで座面における圧力が周縁部にも及ぶことによりねじが座面で滑りにくくなる。
【００１２】
本発明のボルトまたはナットを用いれば、傾斜した座面がボルトあるいはナットによって座面に押し付けられることによって、フランジの溝の幅が狭まり、反発力が生じることで座面における圧力の方向が軸方向のみではなくなり多方向になることにより、ねじが座面で滑りにくくなる。
【００１３】
請求項の１と３は六角頭を有するフランジ付きボルト及びフランジ付きナットに最適である。
【００１４】
請求項の２と４は頭部が六角頭の形状である場合に限らず、実施することができるものである。
【００１５】
請求項１と２は座面全体が傾斜していることにより、傾斜していない座面のフランジ付きボルトと比べると、フランジの周縁において、より大きな座面圧が期待できる。
【００１６】
請求項の３と４は軸中心付近の座面圧が下がる可能性をより低減できる。
【図面の簡単な説明】
【００１７】
【図１】実施例１のフランジ付き六角ボルト及びフランジ付き六角ナットのフランジ正面図
【図２】実施例１のフランジ付き六角ボルトの正面図
【図３】実施例１のフランジ付き六角ナットの正面図
【図４】実施例１のフランジ付き六角ボルトのフランジ拡大図
【図５】実施例１のフランジ付き六角ボルトのフランジ拡大図
【図６】実施例１のフランジ付き六角ボルトのフランジ拡大図
【図７】実施例２のフランジ付きボルト及びナットのフランジ正面図
【図８】実施例２のフランジ付きボルトの正面図
【図９】実施例２のフランジ付きナットの正面図
【図１０】実施例２のフランジ付きボルト及びナットのフランジ拡大図
【図１１】実施例２のフランジ付きボルトのフランジ拡大図
【図１２】実施例２のフランジ付きボルトのフランジ拡大図
【図１３】実施例２のフランジ付きボルトのフランジ拡大図
【図１４】実施例３のフランジ付き六角ボルト及び六角ナットのフランジ正面図
【図１５】実施例３のフランジ付きボルトの正面図
【図１６】実施例３のフランジ付きナットの正面図
【図１７】実施例４のフランジ付きボルト及びナットのフランジ正面図
【図１８】実施例４のフランジ付きボルトの正面図
【図１９】実施例４のフランジ付きナットの正面図
【発明を実施するための形態】
【００１８】
外力によるボルトまたはナットの緩みを低減するため、座面の摩擦力の質を向上させる目的を、座面の全体又はフランジ部の直下の座面のみが傾斜しているフランジ付きボルトまたはフランジ付きナットにおいて、座面の裏側であるフランジの表面に座面まで達しない程度の深さの溝を六角柱や円柱等の形状に設けたボルト又はナットを使用するにより実現した。
【実施例１】
【００１９】
本例のフランジ付き六角ボルト１とフランジ付き六角ナット２を図１〜６により説明する。
本例は、ボルトまたはナットの座面につばが付いた、座面の面積が拡大された、フランジ付き六角ボルト１およびフランジ付き六角ナット２の裏側にあるフランジ３の表面に座面４まで達しない程度の深さの溝５が六角頭６の六つの側面の座面方向の延長に当該側面がねじの中心軸に対して平行であり六角頭が六角柱の形状であれば六角柱７に、当該側面がねじの中心軸からフランジの周縁部８の方へと傾いて六角頭が六角錐９であれば六角錐に設けられており、座面全体が周縁部８に向かうにつれて被締結物と接触する方向へと凹型に傾斜しているフランジ付き六角ボルト１およびフランジ付き六角ナット２である。
【００２０】
本例において溝５は、図４と図５に示す通り、溝の入り口と奥が同一幅の場合だけでなく図６に示す通り奥に入るに従って漸次狭くなるくさび状の溝１４である場合を含む。また図示しないが、溝５がねじの中心軸に対して垂直にフランジの周縁部８から中心軸の方向へと設けられている場合を含む。
【００２１】
本例に係るフランジ付き六角ボルト１またはフランジ付き六角ナット２は製造に際して、当該ボルトまたは当該ナットの使用時に、ねじの軸力によって、溝５の分だけ座面４が中心軸方向へ反るので、溝の形状と座面の傾きは関連があることを考慮して設計する必要がある。
【００２２】
本例の六角ボルト及び六角ナットの使用時は、座面４が中心軸方向へと反るのに十分な軸力を与えると、本発明に特有の効果が得られる。
【実施例２】
【００２３】
次に、本発明に係るフランジ付き六角ボルト１とフランジ付き六角ナット２の別の例を図７〜図１３により説明する。
本例では座面４の裏側にあるフランジ３の表面から座面４まで達しない程度の深さで、ねじの中心部に対して平行な円柱状の溝１２あるいは座面方向に拡径または縮径する円錐状の溝１３が設けられた、座面全体が周縁部８に向かうにつれて被締結物と接触する方向へと凹型に傾斜しているフランジ付きボルト１０およびフランジ付きナット１１である。
【００２４】
図面７〜図面１３で示すボルト又はナットは、ボルトの頭部またはナットの形状が六角になっているが本例においては、特にボルトは必ずしも六角の形状に限定しない。
【００２５】
図１０は本例における、ねじの中心軸に対して平行な円柱状の溝１２の例であり、
図１１は座面方向に拡径する円錐状の溝１３であり図１２は座面方向に縮径する円錐状の溝１３であり、本実施例においても実施例１と同様に図１３の通り、溝の入り口と奥が同一幅の場合だけでなく図６に示す通り奥に入るに従って漸次狭くなるくさび状の溝１４である場合を含む。また図示しないが、溝５がねじの中心軸に対して垂直にフランジの周縁部８から中心軸の方向へと設けられている場合を含む。
【００２６】
本例において製造及び使用に際しての留意点は実施例１の段落００２１と００２２の記載内容と重複するので割愛する。
【実施例３】
【００２７】
次に、本発明に係るフランジ付き六角ボルト１とフランジ付き六角ナット２の別の例を図１４〜図１６により説明する。
本例のボルト及びナットは座面４の裏側にあるフランジ３の表面に座面４まで達しない程度の深さの溝５が六角頭６の六つの側面の座面方向の延長に当該側面がねじの中心軸に対して平行であり六角頭が六角柱７の形状であれば六角柱７に、当該側面がねじの中心軸からフランジの周縁部８の方へと傾いて六角頭が六角錐９であれば六角錐９に設けられており、周縁部８のフランジ３の部分の座面４のみが軸外方に向かうに従って被締結物と接触する方向へと傾斜している凹型に傾斜しているフランジ付き六角ボルト１およびフランジ付き六角ナット２である。
【００２８】
実施例１のフランジ付き六角ボルト１又はフランジ付き六角ナット２と違い、本例においてはフランジ３直下の座面４のみを傾斜させるのでフランジ３の角度がきつくならざるを得ず座面と被締結物が接触しない恐れがあるが、溝５を設ける事で解決を図る。
【００２９】
本例において製造及び使用に際しての留意点は実施例１の段落００２１と００２２の記載内容と重複するので省略する。溝５の形状や位置なども実施例１と同じなので別立てで図示はしない。
【実施例４】
【００３０】
次に、本発明に係るフランジ付き六角ボルト１とフランジ付き六角ナット２の更に別の例を図１７〜図１９により説明する。
本例では座面４の裏側にあるフランジ３の表面から座面４まで達しない程度の深さで、ねじの中心部に対して平行な円柱状の溝１２あるいは座面方向に拡径または縮径する円錐状の溝１３が設けられた、周縁部８のフランジ３の部分の座面４のみが被締結物と接触する方向へと軸外方に向かうに従って凹型に傾斜しているフランジ付きボルト１０およびフランジ付きナット１１である。
【００３１】
実施例３と座面４の形状は同じであり、その上での留意点は段落００２８と同じであるのでの記載内容と重複するので省略する。
【００３２】
本例において製造及び使用に際しての留意点は実施例１の段落００２１と００２２の記載内容と重複するので割愛する。溝５の形状と位置は実施例２と同じなので別立てで図示はしない。頭部の形状についての留意点は段落００２４と同じである。
【００３３】
なお、図４〜７及び図１１〜１４のボルトのフランジ拡大図において示される、溝の形状は本発明で扱ったナットにおいても同様である。
【符号の説明】
【００３４】
１  フランジ付き六角ボルト
２  フランジ付き六角ナット
３  フランジ
４  座面
５  溝
６  六角頭
７  六角柱
８  周縁部
９  六角錐
１０  フランジ付きボルト
１１  フランジ付きナット
１２  円柱状の溝
１３  円錐状の溝
１４  くさび状の溝
【図２】
2014159826.tif 000003
【図３】
2014159826.tif 000004
【図１８】
2014159826.tif 000005
【図１】
2014159826.tif 000006
【図４】
2014159826.tif 000007
【図５】
2014159826.tif 000008
【図６】
2014159826.tif 000009
【図７】
2014159826.tif 000010
【図８】
2014159826.tif 000011
【図９】
2014159826.tif 000012
【図１０】
2014159826.tif 000013
【図１１】
2014159826.tif 000014
【図１２】
2014159826.tif 000015
【図１３】
2014159826.tif 000016
【図１４】
2014159826.tif 000017
【図１５】
2014159826.tif 000018
【図１６】
2014159826.tif 000019
【図１７】
2014159826.tif 000020
【図１９】
2014159826.tif 000021